(57)【要約】【課題】シール用部材の隣接端部間に十分な気密を確保し、それぞれを独立して回動操作できる。【解決手段】折畳み扉用扉枠の下枠の収納溝の内部に複数のシール用部材を直列に収納し、シール用部材１５ａ、１５ｂを回動し突出させて折畳み扉の下部と床面とをシールさせる折畳み扉装置において、隣り合うシール用部材の隣接端部にそれぞれ端部カバー２６ａ、２６ｂを取り付け、両端部カバーの相対する側面のうち、一方に形成した円弧状凸部３５を他方に形成した円弧状溝部４２に嵌合させる。【選択図】図９
2006188909.tif 000002
【特許請求の範囲】
【請求項１】
扉枠と折畳み扉とを有し、上記扉枠の下枠上面を床面と略面一とし、上記扉枠の内側に折畳み扉を折畳み展開自在に収納し、上記下枠の屋内側に形成した収納溝の内部には、この収納溝の上方に回動して突出可能な複数のシール用部材を直列に収納し、上記扉枠に設けられたロック棒によって上記シール用部材を回動させて収納溝から突出させ、上記シール用部材を介して折畳み扉の下部と上記床面とをシールさせる折畳み扉装置において、
隣り合うシール用部材の隣接端部にそれぞれ端部カバーを取り付け、両端部カバーの相対する側面のうち、一方の端部カバーの側面にはシール用部材の回動軸を中心とする円弧に沿う円弧状凸部を他方の端部カバー側に突出するように形成し、他方の端部カバーの側面には上記回動軸を中心とする円弧に沿う円弧状溝部を形成し、上記円弧状凸部を円弧状溝部に嵌合させることを特徴とする折畳み扉装置における隣接シール構造。
【請求項２】
前記扉枠と折畳み扉とが、それぞれ金属部と合成樹脂部とから構成されていることを特徴とする、請求項１記載の折畳み扉装置における扉枠の下枠構造。
【請求項３】
前記各端部カバーはそれぞれ対応するシール用部材の長手方向に形成された中空部に圧入されていることを特徴とする、請求項１又は２に記載の折畳み扉装置における隣接シール構造。
【請求項４】
前記各端部カバーには、前記シール用部材の気密材を延長させて形成した延長部を取り付け、上記２つの端部カバーが隣接したときに上記気密材の延長部も突き合わせ状態となるようにしたことを特徴とする、請求項１、２又は３に記載の折畳み扉装置における隣接シール構造。
【発明の詳細な説明】
【技術分野】
【０００１】
本発明は、建物躯体に設けた扉枠の内側に配置された複数の折畳み扉を開閉自在に配置し、各折畳み扉の屋内側に形成された収納溝にシール用部材を回動自在に設け、閉扉時にはこのシール用部材を回動させてシール用部材で床面と折畳み扉とを連続させるようにした折畳み扉装置において、隣り合う隣接シール構造に関するものである。
【背景技術】
【０００２】
一般に、折畳み扉は２つの扉体を継手框を介して回動自在に連結し、一方の自由端を建物開口部のガイドレールに沿って移動可能とすることによって構成される。扉体には把手が設けられ、上記把手を屋外又は屋内側に押し引きすることで折畳み扉を開閉することができる。閉扉時には全ての扉体が面一状に並び、開扉時には扉体が折畳み状態となる。
【０００３】
ところで、最近は老人や幼児などが建物の開口部を通って屋外のデッキやバルコニーに出、又はデッキやバルコニーから屋内に入るときに、段差や仕切りをなくし、移動しやすくするバリアフリー構造が採用される傾向が強い。このため、サッシの下枠の上面と屋内側の床面と屋外側のデッキ面やバルコニーの床面とを略面一に連続するように設計される例が多くなってきている。
【０００４】
ところが、このようなバリアフリー構造は、引き戸サッシの例がほとんどで、建物開口部に折畳み扉を設けた開閉構造にはバリアフリー構造はなかった。
【０００５】
その理由は、折畳み扉と扉枠の下枠との間の気密、水密が困難だからである。すなわち、扉枠の下枠の上面と屋内側の床面と屋外側のデッキ面やバルコニーの床面とを略面一に連続させる構造では、屋外側からの風雨が屋内に入り込むのを防止するのが難しいのである。
【０００６】
従来の折畳み扉の下枠は屋内側が高く、屋外側が低くなるように段差をつけた構造となっており、このように屋外側が低い構造では、開扉時に扉体が下枠から離れることになんの問題もない。また、閉扉時には扉枠の屋内側の面を下枠の段差面に当接させることにより、屋内外の気密や水密は容易に確保することができる。
【０００７】
このように、バリアフリー構造では、扉枠の下枠の上面は略水平状態となるように形成されるから、扉体と下枠との間には隙間が必然的に形成されるので、閉扉時に折畳み扉と下枠との間の気密、水密を保持することができない、という問題が発生するのである。
【０００８】
その改善策としては、特願２００４−３０６７５０や特願２００４−２１６６６０に示されるように、開扉時には扉枠の下枠周辺の床面はフラットになるが、閉扉時には上記下枠と床面とをシールするシール用部材が突出するような構造が考えられる。
【特許文献１】特開２００３−１９３７５６公報
【発明の開示】
【発明が解決しようとする課題】
【０００９】
ところで、シール用部材は各折畳み扉に対応して設けられるので、折畳み扉が複数あれば、同じ数のシール用部材が直列に並べて配置されることになる。その場合、隣り合うシール用部材の隣接端部間に隙間が形成されると、外気が屋内に入り込んでしまう。しかし、隙間を塞ぐように隣接端部が当接するような構造にすると、一方の折畳み扉のみを閉じるような場合は隣接端部が干渉するので、その摩擦力により開閉作動が円滑に行なわれにくいという問題がある。このように、従来の折畳み扉装置においてはシール用部材の隣接端部の処理が必ずしも十分でなく、気密性や操作性に問題があった。
【００１０】
本発明は上記問題点を解消し、シール用部材の隣接端部間に十分な気密を確保し、それぞれを独立して回動操作することができる折畳み扉装置における隣接シール構造を提供することをその課題とする。
【課題を解決するための手段】
【００１１】
前記課題を解決するため、請求項１に係る発明は、扉枠と折畳み扉とを有し、上記扉枠の下枠上面を床面と略面一とし、上記扉枠の内側に折畳み扉を折畳み展開自在に収納し、上記下枠の屋内側に形成した収納溝の内部に、この収納溝の上方に回動して突出可能な複数のシール用部材を直列に収納し、上記扉枠に設けられたロック棒によって上記シール用部材を回動させて収納溝から突出させ、上記シール用部材を介して折畳み扉の下部と上記床面とを連続的にシールさせる折畳み扉装置を対象とする。
【００１２】
そして、このような折畳み扉装置において、隣り合うシール用部材の隣接端部にそれぞれ端部カバーを取り付け、両端部カバーの相対する側面のうち、一方の端部カバーの側面にはシール用部材の回動軸を中心とする円弧に沿う円弧状凸部を他方の端部カバー側に突出するように形成し、他方の端部カバーの側面には上記回動軸を中心とする円弧に沿う円弧状溝部を形成し、上記円弧状凸部を円弧状溝部に嵌合させることを特徴とする。
【００１３】
なお、ここで嵌合とは、円弧状凸部と円弧状凹部とが互いに干渉しない程度の嵌め合い状態をいう。
【００１４】
請求項２に係る発明は、さらに、前記扉枠と折畳み扉とが、それぞれ金属部と合成樹脂部とから構成されていることを特徴とする
請求項３に係る発明は、さらに、前記各端部カバーをそれぞれ対応するシール用部材の長手方向に形成された中空部に圧入したことを特徴とする。
【００１５】
請求項４に係る発明は、また、前記各端部カバーに、前記シール用部材の気密材を延長させて形成した延長部を取り付け、上記２つの端部カバーが隣接したときに上記気密材の延長部も突き合わせ状態となるようにしたことを特徴とする。
【００１６】
なお、ここで突き合わせとは、互いに当接するだけでなく、わずかに隙間があくような状態も含まれるものとする。
【発明の効果】
【００１７】
請求項１に係る発明によれば、複数のシール用部材を上記案内溝に直列に配置し、隣り合うシール用部材の隣接端部にそれぞれ端部カバーを取り付け、両端部カバーの相対する側面のうち、一方の端部カバーの側面にはシール用部材の回動軸を中心とする円弧に沿う円弧状凸部を他方の端部カバー側に突出するように形成し、他方の端部カバーの側面には上記回動軸を中心とする円弧に沿う円弧状溝部を形成し、上記円弧状凸部を円弧状溝部に嵌合させるようにしたので、一方のシール用部材のみが回動しても、円弧状凸部と円弧状溝部とは互いに干渉することがない。したがって、それぞれを独立して回動操作することができる。
【００１８】
また、円弧状凸部が円弧状溝部内に嵌合している状態は、屋内または屋外からみると、円弧状凸部と円弧状溝部とが互いに重なり合っている状態なので、シール用部材の隣接端部に設けられた両端部カバー間に屋内外から見えるような直接の隙間は形成されない。したがって、隣接端部から外気が直接に屋内側に入り込むことはできないから、気密性が確保できる。
【００１９】
請求項２に係る発明によれば、前記扉枠と折畳み扉とが、それぞれ金属部と合成樹脂部とから構成されているから、さらに屋内外の断熱を確保することができる。
【００２０】
請求項３に係る発明によれば、それぞれ対応するシール用部材の長手方向に形成された中空部に圧入すればよい。各端部カバーは互いに他方の端部カバーが邪魔になって抜け出すことができないから、圧入だけで確実に取り付けられる。したがって、取り付けが簡単である。
【００２１】
請求項４に係る発明によれば、隣接する端部カバーにシール用部材に取り付けられた気密材の延長部が取り付けられ、互いに突き合わせられるようになっているので、気密が良好に確保される。
【発明を実施するための最良の形態】
【００２２】
図１は折畳み扉装置を含むサッシの内観図、図２は図１のＸ−Ｘ線上の断面図、図３は図１のＹ−Ｙ線上の断面図であり、建物躯体の扉枠１の内側には左右一対の折畳み扉２、３が配置されている。
【００２３】
扉枠１と折畳み扉２、３は、図２、図３等に示すように、それぞれ屋外側の金属部ｐと屋内側の合成樹脂部ｑとからなる複合サッシであり、図３および図４に示されるように、閉扉時には面状に展開し、また開扉時には屋外側に折り畳まれるように構成されている。
【００２４】
扉枠１は、上枠１ａ、下枠１ｂ及び縦枠１ｃを方形に枠組みしてなり、図示しない建物躯体の扉開口部に固定されている。下枠１ｂの屋内側には室内の床面が、屋外側にはデッキやバルコニーの面がそれぞれほぼ面一に連続しているものとする。扉枠１の上枠１ａと下枠１ｂにはその屋外側の長手方向に沿って折畳み扉用の案内溝５、６が形成されている。
【００２５】
各折畳み扉２、３は、互いに離れた吊り元側の固定框７と互いに突合せ可能な戸先框８との間に２枚の扉体９を継手框１０を介して回動自在に連結してなるものである。扉体９の内側には二重ガラス１１が装着されている。固定框７と戸先框８の上部にはローラ金具１２が取り付けられ、ローラ金具１２を上記上枠１ａの案内溝５に転動自在に係合させることにより、固定框７と戸先框８のほか２枚の扉体９と継手框１０が吊り下げられている。また、下部には、下枠１ｂの案内溝６に沿って回転する回転ローラ１３が設けられている。
【００２６】
次に、上記下枠１ｂの案内溝６の屋内側に沿って収納溝１４が形成され、この収納溝１４の内部に、折畳み扉２、３に対応して２つのシール用部材１５ａ、１５ｂが直列に収納されている。２つのシール用部材１５ａ、１５ｂの長さは略収納溝１４の長さと同じである。収納溝１４の屋内側も合成樹脂部ｑによって覆われている。そして、合成樹脂部ｑの一部は延出され、下枠１ｂの屋内側の床面に固定するためのアングル片２７が形成されている。
【００２７】
下枠１ｂの案内溝６と収納溝１４との間には中間溝１７が形成され、図５に示されるように、両溝１４、１７の隔壁１８の上端には円形の膨突部２３が形成されている。
【００２８】
上記シール用部材１５ａ、１５ｂは図５に示されるように、上記隔壁１８の上端に回動自在に支持されている。シール用部材１５ａ、１５ｂは金属製押出し型材によって略扇形に形成された中空のベース部１６の基部外側に係合凹部１９が、さらにその反対側に突縁部２０が形成されている。ベース部１６の外周側には樹脂製カバー２１が取り付けられ、さらに上部には気密材２２が取り付けられている。シール用部材１５ａ、１５ｂは全体として扇形に形成されている。
【００２９】
上記シール用部材１５ａ、１５ｂの係合凹部１９は上記収納溝１４の隔壁１８の上端膨突部２３に係合され、この係合部の中心を回動軸として回動自在になっている。シール用部材１５ａ、１５ｂは、通常は収納溝１４内に収納され、この状態では突縁部２０の先端は中間溝１７に略水平の状態で突出している。
【００３０】
図２および図５に示されるように、継手框１０の内側には外部から操作可能なロック棒２４が上下動可能に収納されている。このロック棒２４の下部は、屋外側のロック部２４ａと屋内側の作動棒２４ｂとの二股に分岐されている。ロック部２４ａは下枠１ｂの案内溝６の内部に挿入可能に配置され、作動棒２４ｂは中間溝１７に挿入可能に配置されている。
【００３１】
上記構成において、折畳み扉を折り畳んで開扉したときは、シール用部材１５ａ、１５ｂは収納溝１４の内部に納まっており、その上側の側面部の一部と気密材２２が屋内側に面している。折畳み扉９を展開して閉扉したときは、図６のように、各折畳み扉のロック棒２４を下げて屋外側のロック部２４ａを下枠１ｂの案内溝６の内部に挿入させる。これにより、折畳み扉は折り畳むことができなくなる。同時に、作動棒２４ｂも下がり、下枠１ｂの中間溝１７に入り込んでシール用部材１５ａ、１５ｂの突縁部２０に係合して押し下げるので、シール用部材１５ａ、１５ｂは回動して収納溝１４の上方に突出し、気密材が折畳み扉の下框９ｂの屋内側面に当接し、これにより、床面２５と折畳み扉２、３とが連続し、シール用部材１５ａ、１５ｂが折畳み扉２、３と屋内側の床面２５との間の隙間を塞ぐことになるので、バリアフリー構造であっても、外部との気密や水密を確保することができる。
【００３２】
次に、隣り合うシール用部材１５ａ、１５ｂの隣接端部にそれぞれ端部カバー２６ａ、２６ｂが取り付けられている。一方の端部カバー２６ａは、図７（ａ）〜（ｄ）に示されるように、シール用部材１５ａ、１５ｂの（ベース部１６とカバー２１を含む）断面形状に即して扇形部２８と突縁部２９と係合凹部３０とが形成されているとともに、気密材嵌合溝３１が形成されている。上記板部２６ａの一側面にはシール用部材１５ａ、１５ｂのベース部１６の中空部３２（図５参照）に圧入可能な突部３３と、シール用部材１５ａ、１５ｂの端部に係合可能な円弧状鍔部３４が形成され、また反対側で、他方の端部カバー２６ｂと相対する側面には、シール用部材１５ａ、１５ｂの回動軸を中心とする円弧に沿う円弧状凸部３５が他方の端部カバー２６ｂ側に突出するように形成されている。
【００３３】
これに対し、他方の端部カバー２６ｂにも、一方の端部カバー２６ａと同じく、扇形部３６と突縁部３７と係合凹部３８とが形成されているとともに、気密材嵌合溝３９が形成されている。また、一側面には、上記一方の端部カバー２６ａと同じく、シール用部材１５ａ、１５ｂのベース部１６の中空部３２に圧入可能な突部４０と、シール用部材１５ａ、１５ｂの端部に係合可能な円弧状鍔部４１が形成されている。そして、上記一方の端部カバー２６ａと相対する側面には、上記回動軸を中心とする円弧に沿う円弧状溝部４２が形成されている。
【００３４】
上記端部カバー２６ａ、２６ｂをシール用部材１５ａ、１５ｂに取り付けるときは、図９（ａ）（ｂ）に示されるように、各端部カバー２６ａ、２６ｂの円弧状鍔部３４、４１をシール用部材１５ａ、１５ｂのカバー２１に係合させるとともに、端部カバー２６ａ、２６ｂの突部３３、４０を両シール用部材１５ａ、１５ｂの長手方向に形成された中空部３２に圧入すればよい。なお、シール用部材１５ａ、１５ｂの気密材２２、２２は、図１０（ａ）（ｂ）に示されるように、端部カバー２６ａ、２６ｂ側に延長し、この延長部２２ａ、２２ｂを端部カバー２６ａ、２６ｂの気密材嵌合溝３１、３９に嵌合装着する。そして、２つの端部カバー２６ａ、２６ｂが隣接したときに上記両気密材の延長部２２ａ、２２ｂも突き合わせられるようにする。そして、図９（ｂ）に示されるように、一方の端部カバー２６ａの円弧状凸部３５は他方の端部カバー２７ａの円弧状溝部４２に嵌合される。
【００３５】
各端部カバー２６ａ、２６ｂは互いに他方の端部カバー２６ｂ、２６ａが邪魔になって抜け出すことができないから、圧入だけで確実に取り付けられる。したがって、取り付けが簡単である。
【００３６】
次に、上記２つのシール用部材１５ａ、１５ｂの回動態様について説明する。両シール用部材１５ａ、１５ｂが収納溝１４内に収納されているとき、つまり２つの折畳み扉２、３が開扉状態にあるときは、図１１（ａ）（ｂ）に示されるように、両シール用部材１５ａ、１５ｂはともに収納溝１４の上方には突出していない。また、図１２（ａ）（ｂ）に示されるように、両シール用部材１５ａ、１５ｂが回動して収納溝１４から突出したとき、つまり２つの折畳み扉２、３が閉扉状態にあるときは、両シール用部材１５ａ、１５ｂはともに収納溝１４の上方に突出し、図６のように折畳み扉２、３の屋内側をシールする。この場合、隣接する端部カバー２６ａ、２６ｂにシール用部材１５ａ、１５ｂに取り付けられた気密材の延長部２２ａ、２２ｂが取り付けられ、互いに突き合わせられるようになっているので、気密が良好に確保される。
【００３７】
これに対し、一方のシール用部材１５ａが回動して上方に突出し、他方のシール用部材１５ｂは収納溝１４内に収納されるときは、図１３（ａ）（ｂ）に示されるように、一方のシール用部材１５ａが回動軸を中心に回動するので、図１４に示されるように、上記端部カバー２６ａの円弧状凸部３５が円弧状溝部４２内を上記回動軸を中心とする円弧を描くように運動する。他方の端部カバー２６ｂのみが回動するときは円弧状溝部４２が同様に運動する。したがって、一方のシール用部材１５ａまたは１５ｂのみが回動しても、２つの端部カバー２６ａ、２６ｂの円弧状凸部３５と円弧状溝部４２とは互いに干渉することがない。したがって、それぞれを独立して回動操作することができる。
【００３８】
また、円弧状凸部３５が円弧状溝部４２内に嵌合している状態は、屋内または屋外からみると、円弧状凸部３５と円弧状溝部４２とが互いに重なり合っている状態なので、シール用部材１５ａ、１５ｂの隣接端部に設けられた両端部カバー２６ａ、２６ｂ間には屋内外から見えるような直接の隙間は形成されない。したがって、隣接端部から外気が直接に屋内側に入り込むことはできないから、気密性が確保できる。
【００３９】
なお、断熱性を高めたサッシとしては、上述の扉枠と折畳み扉の例のように、屋外側に面する部分をアルミニウム等の金属の押出型材から、屋内側に面する部分を合成樹脂から構成したもののほか、扉枠と折畳み扉とをそれぞれ金属の押出型材からなる室内部材と室外部材とを合成樹脂製の断熱部材を介して連結した構成のものも知られている。上記扉枠の下枠構造は後者の折畳み扉装置にも適用することができる。また、上記扉枠の下枠構造は断熱サッシだけでなく、アルミニウム等の金属のみからなる金属サッシにも適用できるのはもちろんである。
【図面の簡単な説明】
【００４０】
【図１】折畳み扉装置に係るサッシの内観図である。
【図２】図１のＸ−Ｘ線上の断面図である。
【図３】図１のＹ−Ｙ線上の断面図である。
【図４】折畳み扉が開いた状態の横断面図である。
【図５】扉枠の下枠の拡大断面図である。
【図６】シール用部材が回動時の拡大断面図である。
【図７】（ａ）（ｂ）（ｃ）および（ｄ）はそれぞれ一方の端部カバーの平面図、正面図、右側面図および背面図である。
【図８】（ａ）（ｂ）（ｃ）および（ｄ）はそれぞれ他方の端部カバーの平面図、正面図、右側面図および背面図である。
【図９】（ａ）（ｂ）は両端部カバーの取り付け態様の前後の説明図である。
【図１０】（ａ）（ｂ）はそれぞれ端部カバー取り付け前のシール用部材を２方向からみた状態の斜視図である。
【図１１】（ａ）（ｂ）はそれぞれ収納時の両シール用部材を２方向からみた状態の斜視図である。
【図１２】（ａ）（ｂ）はそれぞれ回動時の両シール用部材を２方向からみた状態の斜視図である。
【図１３】（ａ）（ｂ）はそれぞれ一方のみを回動させた状態のシール用部材を２方向からみた状態の斜視図である。
【図１４】２つの端部カバーの嵌合状態を示す説明図である。
【符号の説明】
【００４１】
１ｂ  下枠
２、３  折畳み扉
１４  収納溝
１５ａ、１５ｂ  シール用部材
２６ａ、２６ｂ  端部カバー
３５  円弧状凸部
４２  円弧状溝部
【図１】
2006188909.tif 000003
【図２】
2006188909.tif 000004
【図３】
2006188909.tif 000005
【図４】
2006188909.tif 000006
【図５】
2006188909.tif 000007
【図６】
2006188909.tif 000008
【図７】
2006188909.tif 000009
【図８】
2006188909.tif 000010
【図９】
2006188909.tif 000011
【図１０】
2006188909.tif 000012
【図１１】
2006188909.tif 000013
【図１２】
2006188909.tif 000014
【図１３】
2006188909.tif 000015
【図１４】
2006188909.tif 000016